(57)【特許請求の範囲】
【請求項１】
本体ケースに形成された開口部を覆蓋する蓋体を非覆蓋位置にすることにより、開放状態とされた開口部を介して前記本体ケース内の装着部に対して機器ユニットを着脱可能とするユニット着脱装置であって、
前記機器ユニットにおける前記装着部に対する装着方向で上側となる上面と交差する方向へ起立した状態となる第１の姿勢位置と、前記上面に沿った横倒し状態となる第２の姿勢位置とに回動可能な取手部材と、
前記取手部材が前記第１の姿勢位置にあるときに前記機器ユニットを前記装着部に対して非固定状態とし、前記取手部材が前記第２の姿勢位置にあるときに前記機器ユニットを前記装着部に対して固定状態とする固定手段と、
前記取手部材を付勢する板ばねと、
を備え、
前記取手部材は、前記第１の姿勢位置にある場合には、前記蓋体が前記開口部を覆蓋する状態となることを前記開口部の内側から規制するように前記蓋体に対して当接し、前記第２の姿勢位置にある場合には、前記蓋体に対して非当接状態になり、
前記板ばねは、
前記取手部材が前記第１の姿勢位置から前記第２の姿勢位置に回動する方向である一方向と、前記取手部材が前記第２の姿勢位置から前記第１の姿勢位置に回動する方向である他方向とに付勢力を反転可能であり、
前記取手部材が前記第１の姿勢位置と前記第２の姿勢位置との中間位置より前記第１の姿勢位置側にあるときは前記他方向に前記取手部材を付勢し、前記取手部材が前記中間位置より前記第２の姿勢位置側にあるときは前記一方向に前記取手部材を付勢する
ことを特徴とするユニット着脱装置。
【請求項２】
前記取手部材が前記中間位置にあるときの前記板ばねの付勢力は、前記取手部材が前記第１の姿勢位置にあるときの前記板ばねの付勢力、及び前記取手部材が前記第２の姿勢位置にあるときの前記板ばねの付勢力より高い
ことを特徴とする請求項１に記載のユニット着脱装置。
【請求項３】
記録媒体を搬送経路に沿って搬送する搬送機構を備え、
前記取手部材を備える前記機器ユニットは、前記記録媒体が前記搬送経路にあるときに取り外し可能である
ことを特徴とする請求項１又は２に記載のユニット着脱装置。
【請求項４】
前記蓋体の前記開口部に対する覆蓋状態を検出する検出手段を更に備えた
ことを特徴とする請求項１〜請求項３の何れか一項に記載のユニット着脱装置。
【請求項５】
前記機器ユニットは、当該機器ユニットの内部空間部に熱源を備えるとともに当該内部空間部から前記機器ユニットの外部空間に向かって温風を吹き出すヒーターユニットであって、前記温風の吹出口は前記取手部材が回動自在に設けられた前記上面以外の面に設けられている
ことを特徴とする請求項１〜請求項４の何れか一項に記載のユニット着脱装置。
【請求項６】
記録媒体を搬送経路に沿って搬送する搬送機構と、
該搬送機構により搬送される前記記録媒体に前記搬送経路の途中で記録を施す記録ヘッドと、
該記録ヘッドよりも前記搬送経路の下流側位置に設けられる請求項１〜請求項５のうち何れか一項に記載のユニット着脱装置と、を備えた
ことを特徴とする記録装置。
【発明の詳細な説明】
【技術分野】
【０００１】
本発明は、ユニット着脱装置及び記録装置に関する。
【背景技術】
【０００２】
従来から、本体ケースの上面側に形成された開口部を覆蓋する蓋体を非覆蓋位置にすることにより、開放状態とされた開口部を介して本体ケース内の装着部に機器ユニットを着脱可能とするユニット着脱装置が知られている（例えば、特許文献１参照）。
【０００３】
この特許文献１に記載されるユニット着脱装置は、機器ユニットを本体ケース内の装着部に対して正確に装着且つ固定するために設けられたロック機構（固定手段）を有し、そのロック機構の作動に連動して機器ユニットへの電力の供給及び遮断を行うようになっている。すなわち、機器ユニットが本体ケース内の装着部に対して正確に装着されてロック機構が固定されている場合には、ロック機構を構成するロック爪の先端が本体ケース内に設けられたスイッチを押圧するため、機器ユニットに電力が供給されるようになっている。その一方、機器ユニットが本体ケース内の装着部に対して不完全に装着されているためにロック機構が非固定である場合には、ロック爪の先端が本体ケース内に設けられたスイッチを押圧しないため、機器ユニットへの電力が遮断されるようになっている。
【先行技術文献】
【特許文献】
【０００４】
【特許文献１】特開２００３−５５９２号公報
【発明の概要】
【発明が解決しようとする課題】
【０００５】
ところで、特許文献１のユニット着脱装置は、機器ユニットにおけるロック機構の状態（固定又は非固定）にかかわらず、本体ケース内の装着部を本体ケースの外部から視認可能とする開口部を蓋体で覆蓋することができる。そのため、開口部を蓋体で覆蓋してしまうと、機器ユニットが装着部に正確に装着されていない状態やロック機構が正確に固定されていない状態であっても、ユーザーはそれらの状態を本体ケースの外部からは認識することができない虞があった。
【０００６】
本発明は、上記問題点に鑑みてなされたものであり、その目的は、機器ユニットが本体ケース内の装着部に対して正確に装着されていない状態やロック機構が正確に固定されていない状態をユーザーが本体ケースの外部から容易に認識することができるユニット着脱装置及び該着脱装置を備えた記録装置を提供することにある。
【課題を解決するための手段】
【０００７】
上記目的を達成するために、本発明のユニット着脱装置は、本体ケースに形成された開口部を覆蓋する蓋体を非覆蓋位置にすることにより、開放状態とされた開口部を介して前記本体ケース内の装着部に対して機器ユニットを着脱可能とするユニット着脱装置であって、前記機器ユニットにおける前記装着部に対する装着方向で上側となる上面と交差する方向へ起立した状態となる第１の姿勢位置と、前記上面に沿った横倒し状態となる第２の姿勢位置とに回動可能な取手部材と、前記取手部材が前記第１の姿勢位置にあるときに前記機器ユニットを前記装着部に対して非固定状態とし、前記取手部材が前記第２の姿勢位置にあるときに前記機器ユニットを前記装着部に対して固定状態とする固定手段と、前記取手部材を付勢する板ばねと、を備え、前記取手部材は、前記第１の姿勢位置にある場合には、前記蓋体が前記開口部を覆蓋する状態となることを前記開口部の内側から規制するように前記蓋体に対して当接し、前記第２の姿勢位置にある場合には、前記蓋体に対して非当接状態になり、前記板ばねは、前記取手部材が前記第１の姿勢位置から前記第２の姿勢位置に回動する方向である一方向と、前記取手部材が前記第２の姿勢位置から前記第１の姿勢位置に回動する方向である他方向とに付勢力を反転可能であり、前記取手部材が前記第１の姿勢位置と前記第２の姿勢位置との中間位置より前記第１の姿勢位置側にあるときは前記他方向に前記取手部材を付勢し、前記取手部材が前記中間位置より前記第２の姿勢位置側にあるときは前記一方向に前記取手部材を付勢する。
【０００８】
この構成によれば、機器ユニットが本体ケースに対して固定状態とされる場合には、取手部材が横倒しの第２の姿勢位置にあって蓋体に対しては非当接状態になるため蓋体を閉めることができる。一方、機器ユニットが本体ケースに対して非固定状態とされる場合には、取手部材が起立した第１の姿勢位置にあって蓋体に対しては開口部の内部から当接する位置状態になるため、蓋体を閉めることができない。したがって、ユーザーは機器ユニットが本体ケースの装着部に対して正確に装着されていない又は固定手段により固定されていない状態を容易に認識することができる。また、取手部材は板ばねにより付勢保持されるため、取手部材は第１の姿勢位置から自重により第２の姿勢位置に変位することが抑制されるとともに、第１の姿勢位置又は第２の姿勢位置のうち何れか一方の姿勢位置に付勢保持される。
【０００９】
本発明のユニット着脱装置は、前記取手部材が前記中間位置にあるときの前記板ばねの付勢力は、前記取手部材が前記第１の姿勢位置にあるときの前記板ばねの付勢力、及び前記取手部材が前記第２の姿勢位置にあるときの前記板ばねの付勢力より高い。
【００１０】
この構成によれば、取手部材の姿勢位置が第１の姿勢位置と第２の姿勢位置の中間となる中間位置において板ばねに対する付勢力に基づく押圧力が最も高くなるようになっている。
【００１１】
本発明のユニット着脱装置において、記録媒体を搬送経路に沿って搬送する搬送機構を備え、前記取手部材を備える前記機器ユニットは、前記記録媒体が前記搬送経路にあるときに取り外し可能である。
【００１２】
この構成によれば、取手部材を把持して機器ユニットを本体ケース外へ取り出すことにより、装着部から搬送経路を確認するとともに、必要に応じて詰まった記録媒体を取り除くなどのメンテナンスを行うことができる。
本発明のユニット着脱装置は、前記蓋体の前記開口部に対する覆蓋状態を検出する検出手段を更に備えた。
【００１３】
この構成によれば、検出手段により蓋体の開閉状態を正確に判断することができる。したがって、ユーザーは機器ユニットが本体ケースに対して正確に装着されていない又は固定手段により固定されていない状態をより容易に且つ正確に認識することができる。
【００１４】
本発明のユニット着脱装置において、前記機器ユニットは、当該機器ユニットの内部空間部に熱源を備えるとともに当該内部空間部から前記機器ユニットの外部空間に向かって温風を吹き出すヒーターユニットであって、前記温風の吹出口は前記取手部材が回動自在に設けられた前記上面以外の面に設けられている。
【００１５】
この構成によれば、機器ユニットが温風を吹き出すヒーターユニットである場合に、温風の吹出口は取手部材が設けられた機器ユニットの上面以外の面に設けられているため、取手部材がヒーターユニットの内部に設けられた熱源により熱くなることを抑制することができる。
【００１６】
また、上記目的を達成するために、本発明の記録装置は、記録媒体を搬送経路に沿って搬送する搬送機構と、該搬送機構により搬送される前記記録媒体に前記搬送経路の途中で記録を施す記録ヘッドと、該記録ヘッドよりも前記搬送経路の下流側位置に設けられる上記構成のユニット着脱装置と、を備えた。
【００１７】
この構成によれば、記録装置において上記ユニット着脱装置の場合と同様の作用効果を得ることができる。
【図面の簡単な説明】
【００１８】
【図１】実施形態における記録装置の概略側面図。
【図２】カバーを外したユニット本体の斜視図。
【図３】（ａ）は第１の姿勢位置にある取手部と固定部の拡大正面図、（ｂ）は第２の姿勢位置にある取手部と固定部の拡大正面図。
【図４】（ａ）は第１の姿勢位置にある取手部の突出部と板ばねの関係を示す断面図、（ｂ）は第２の姿勢位置にある突出部と板ばねの関係を示す断面図、（ｃ）は中間位置にある突出部と板ばねの関係を示す断面図。
【図５】（ａ）は第２の姿勢位置にある取手部と蓋体の関係を示す断面図、（ｂ）は第１の姿勢位置にある取手部と蓋体の関係を示す断面図。
【発明を実施するための形態】
【００１９】
以下、本発明を記録装置の一種であるインクジェット式記録装置（以下、「記録装置」と略す。）及び該記録装置が備えるユニット着脱装置に具体化した実施形態を図１〜図５に従って説明する。なお、以下の説明において、「前後方向」、「上下方向」及び「左右方向」をいう場合は、特に説明がない限り、各図において矢印で示す「前後方向、」「上下方向」及び「左右方向」をいうものとする。
【００２０】
図１に示すように、記録装置１１は、その外郭を形成する略矩形箱状の本体ケース１２を備えている。本体ケース１２内には、長尺状の連続紙（記録媒体）Ｓを繰り出す繰り出し部１３と、繰り出された連続紙Ｓにインクを噴射して記録を施す記録部１４と、該記録部１４にて記録が施された連続紙Ｓを巻き取る巻き取り部１５が設けられている。
【００２１】
すなわち、本体ケース１２内において、連続紙Ｓにおける搬送方向の上流側となる後側寄りの位置には繰り出し部１３が配設されているとともに、下流側となる前側寄りの位置には巻き取り部１５が配設されている。そして、繰り出し部１３と巻き取り部１５との間となる搬送経路の途中位置に記録部１４が配設されている。また、記録部１４における後側寄りの位置には、連続紙Ｓを支持可能なプラテン１６が設けられている。
【００２２】
図１に示すように、繰り出し部１３には、左右方向（紙面と直交する方向）に延びる巻き軸１７が回転可能に設けられている。そして、その巻き軸１７には、連続紙Ｓがあらかじめロール状に巻かれた状態で巻き軸１７と一体回転可能に支持されている。すなわち、連続紙Ｓは、巻き軸１７が回転することにより巻き軸１７から繰り出されて搬送方向の下流側に搬送されるようになっている。また、繰り出し部１３における斜め前側の位置には、巻き軸１７から繰り出された連続紙Ｓを巻き掛けて記録部１４に向けて導くための第１中継ローラー１８が左右方向に延びた状態で回転可能に設けられている。そして、第１中継ローラー１８に、巻き軸１７から繰り出された連続紙Ｓを後側下方から巻き掛けることにより、連続紙Ｓの搬送方向を水平方向に変換するようになっている。
【００２３】
また、プラテン１６の前側には、該プラテン１６を挟んで後側（上流側）の第１中継ローラー１８と前後方向で対向する第２中継ローラー１９が第１中継ローラー１８と平行な態様で左右方向に延びるように設けられている。なお、第１中継ローラー１８及び第２中継ローラー１９は各々の周面の頂部がプラテン１６の上面である支持面と同一の高さとなるように各々配置される位置が調整されている。そのため、第１中継ローラー１８により搬送方向が水平方向に変換された連続紙Ｓは、プラテン１６の支持面に摺接しつつ下流側となる前側に搬送された後、第２中継ローラー１９に前側上方から巻き掛けられることにより、連続紙Ｓの搬送方向が水平方向から前斜め下方に変換される。また、プラテン１６の前側であって第２中継ローラー１９の後側の位置には、左右方向に延びる駆動ローラーと従動ローラーとからなるとともに該駆動ローラーと従動ローラーとで連続紙Ｓを挟時して搬送する２組の搬送ローラー対２０ａ、２０ｂが間隔をあけて配設されている。
【００２４】
第２中継ローラー１９の前側には巻き取り部１５が配設されると共に、該巻き取り部１５における下方（第２中継ローラー１９の前斜め下方）の位置には巻き取り軸２１が回転可能に設けられている。そして、巻き取り軸２１に対して連続紙Ｓの搬送方向下流端となる先端が巻きつけられるようになっている。上記のように、繰り出し部１３、記録部１４及び巻き取り部１５により、記録媒体を搬送経路にそって搬送する搬送機構が構成されている。
【００２５】
また、図１に示すように、記録部１４の上方であってプラテン１６と対向する位置には、ラインヘッドタイプの記録ヘッド２２が設けられている。記録ヘッド２２の下面は、インクを噴射する図示しない複数のノズルが開口する水平なノズル形成面になっている。記録ヘッド２２は、水平方向において連続紙Ｓの搬送方向と直交する方向に延びるとともに、長手方向の長さが連続紙Ｓの最大紙幅に対応する長さを有している。そして、記録ヘッド２２は、搬送機構にて搬送される連続紙Ｓの記録領域に対して搬送経路の途中でインクを噴射して記録を施すようになっている。
【００２６】
さらに、連続紙Ｓの搬送方向において記録部１４よりも下流側となる記録ヘッド２２の前側（下流側）の位置には、記録ヘッド２２から噴射されたインクが付着した連続紙Ｓに乾燥処理を施す機器ユニットとしてのヒーターユニット２３を着脱可能な装着部Ｐが設けられている。ヒーターユニット２３は、装着部Ｐに対して正確に装着された状態では、その下面により２組の搬送ローラー対２０ａ、２０ｂ間における連続紙Ｓの記録領域の上部を覆うように構成されている。また、ヒーターユニット２３には、制御部２４が電気的に接続されているとともに、該制御部２４によってヒーターユニット２３の温度等が制御されるようになっている。
【００２７】
また、図１に示すように本体ケース１２の上面１２ａであってヒーターユニット２３に対応する位置には、開口部２５が形成されているとともに、該開口部２５を覆蓋可能な蓋体２６が設けられている。蓋体２６は、開口部２５を覆蓋する覆蓋位置（図１において実線で示す位置状態）と、開口部２５を開放する非覆蓋位置（図１において二点破線で示す位置状態）との間で変位するように、蓋体２６において後側に設けられた回転軸２６ａを介して本体ケース１２に対して回動可能に支持されている。すなわち、蓋体２６は図１において矢印Ａに示す方向に回動するようになっている。
【００２８】
また、蓋体２６の略中央には、指先を差し入れ可能な開口２６ｂ（図５参照）が設けられると共に、蓋体２６における本体ケース１２の内面側の面には、開口２６ｂを覆うように断面視略Ｕ字状の陥入部２６ｃが形成されている図５参照。すなわち、この開口２６ｂ及び陥入部２６ｃは、ユーザーが指先を差し入れて蓋体２６を回動変位するための取手となっている。そして、蓋体２６を覆蓋位置から非覆蓋位置に変位させることにより、開放状態にされた開口部２５を介してヒーターユニット２３を本体ケース１２内の装着部Ｐに対して着脱可能になっている。この点で、記録装置１１は、本体ケース内の装着部Ｐに対して機器ユニットであるヒーターユニット２３を着脱可能とするユニット着脱装置として機能する。
【００２９】
次に、ヒーターユニット２３について図２〜図４に従って説明する。
ヒーターユニット２３は、略直方体形状をなすユニット本体３２を有している。ユニット本体３２は、その前面側に設けられた複数（本実施形態では５個）のファンＦＮから取り入れた空気をユニット本体３２の内部空間部に設けられた熱源としてのヒーター３３（図５参照）により温める。そして、温めた空気をヒーター３３の下側に形成された吹出口３４（図５参照）から外部空間に向かって吹き出すようになっている。
【００３０】
また、ユニット本体３２の装着方向において上側の面となる上面３２ａの略中央には、略コの字状（略Ｕ字状）をなす板状の取手部材としての取手部３５が設けられている。そして、この取手部３５を把持するとともに上方に持ち上げることにより、本体ケース１２内の装着部Ｐにヒーターユニット２３を着脱できるようになっている。さらに、取手部３５の左右両側には、ヒーターユニット２３を本体ケース１２の装着部Ｐに装着した際に、ヒーターユニット２３を装着部Ｐに固定する固定手段としての固定部３６が設けられている。
【００３１】
図３はヒーターユニット２３の取手部３５及び固定部３６の部分を拡大した正面図である。図３に示すように、取手部３５は、その左右両端部分に回動軸部３７が一体形成されるとともに、該回動軸部３７を介してヒーターユニット２３のユニット本体３２の上面３２ａに回動自在に設けられている。したがって、回動軸部３７の軸周りを約９０度回動することにより取手部３５の姿勢位置が変更される。そして、取手部３５がユニット本体３２の上面３２ａと交差する方向（各図では上方向）へ起立した状態（図２に示す状態）となる姿勢位置を第１の姿勢位置とする一方、上面３２ａに沿った横倒し状態となる姿勢位置を第２の姿勢位置とする。
【００３２】
また、回動軸部３７の外周には該回動軸部３７と共に一体回転する円筒カム３８が設けられている。より詳細には、円筒カム３８は、リブ３８ａを用いて回動運動を直線運動に変換するための円筒リブカムである。また、リブ３８ａには、ユニット本体３２の上面３２ａを左右方向にスライドするスライド部材３９における取手部３５側の端部に形成された左右一対のカム受け部３９ａが噛合されている。円筒カム３８のリブ３８ａは回動軸部３７を回動方向に捻れながら取り巻くように形成されているため、取手部３５の姿勢位置状態によって、スライド部材３９のスライド方向となる左右方向でのカム受け部３９ａの噛合する位置が異なるようになっている。さらに、スライド部材３９におけるカム受け部３９ａが設けられた側とは反対側の端部には、スライド部材３９のスライド方向となる左右方向に沿って延びる固定ピン４０がねじ４１によって固定されている。そして、取手部３５における姿勢位置の変位は、回動軸部３７、円筒カム３８、カム受け部３９ａ及びスライド部材３９を介して固定ピン４０に伝達される。すなわち、円筒カム３８、カム受け部３９ａを備えたスライド部材３９、固定ピン４０およびねじ４１により固定部３６が構成されている。このうち、円筒カム３８は上述のように回動可能にヒーターユニット２３のユニット本体３２に固定されている。一方、カム受け部３９ａを備えたスライド部材３９および固定ピン４０は回動軸部３７の軸方向に移動可能にヒーターユニット２３のユニット本体３２に固定されている。
【００３３】
図３（ａ）に示すように、取手部３５が第１の姿勢位置にある場合には、回動軸部３７の軸方向において、内方の位置に取り付けられたリブ３８ａの一部とカム受け部３９ａとが噛合する。ここで、回動軸部３７の軸方向はヒーターユニット２３の長手方向（左右方向）と同一の方向である。一方、図３（ｂ）に示すように、取手部３５が第２の姿勢位置にある場合には、回動軸部３７の軸方向において外方の位置に取り付けられたリブ３８ａの一部とカム受け部３９ａとが噛合する。そのため、取手部３５が第１の姿勢位置から第２の姿勢位置に変位されると、内方の位置に取り付けられたリブ３８ａの一部と噛合していたカム受け部３９ａが、軸方向において外方の位置に取り付けられたリブ３８ａの一部と噛合するため、カム受け部３９ａを備えたスライド部材３９が軸方向において取手部３５側となる内方から外方に移動する。それにともない、スライド部材３９に固定されている固定ピン４０も軸方向において外方に移動する。その結果、固定ピン４０の先端が本体ケース１２の装着部Ｐに設けられた固定板２７の固定穴２７ａに挿入されることにより、ヒーターユニット２３が装着部Ｐにおいて固定部３６により固定状態とされるようになっている。
【００３４】
一方、取手部３５が第２の姿勢位置から第１の姿勢位置に変更されると、円筒カム３８のリブ３８ａと噛合するカム受け部３９ａを備えたスライド部材３９が、回動軸部３７の軸方向において取手部３５側となる内方に向けて移動する。それにともない、スライド部材３９に固定されている固定ピン４０も軸方向において内方に移動する。その結果、本体ケース１２の装着部Ｐに設けられた固定板２７の固定穴２７ａから固定ピン４０の先端が抜かれることになり、ヒーターユニット２３は装着部Ｐにおいて固定部３６による固定状態が解除される（つまり、非固定状態となる）ようになっている。
【００３５】
また、図３及び図４に示すように、取手部３５における回動軸部３７の外周には、回動軸部３７の軸方向と交差する方向に突出する突出部材としての突出部３７ａが設けられている。突出部３７ａの先端は角状に形成されている。
【００３６】
さらに、ヒーターユニット２３におけるユニット本体３２の上面３２ａであって取手部３５の突出部３７ａと左右方向で対応する位置には、一端が上面３２ａに結合されると共に他端が取手部３５の突出部３７ａに当接可能とされた板ばね４２が設けられている。板ばね４２は、ヒーターユニット２３の上面３２ａから上方に向かって立設する直辺部４２ａと、直辺部４２ａの上端から後側下方に向けて屈曲形成された斜辺部４２ｂを主として構成されている。すなわち、板ばね４２の他端は斜辺部４２ｂで構成された自由端となっている。そして、斜辺部４２ｂが取手部３５の突出部３７ａに当接するとともに、突出部３７ａとの弾性的な当接状態でもって取手部３５を回動付勢するようになっている。板ばね４２は、斜辺部４２ｂの一部が、突出部３７ａの先端が回動するときに描く軌跡よりも回動軸部３７側になるように配置されているとともに、取手部３５の回動変位に伴って突出部３７ａが板ばね４２の斜辺部４２ｂ上を摺動する。このとき、取手部３５の姿勢位置が第１の姿勢位置と第２の姿勢位置の中間となる中間位置（ヒーターユニット２３におけるユニット本体３２の上面３２ａに対して約４５度となる位置）において板ばね４２の突出部３７ａに対する付勢力に基づく押圧力が最も高くなるようになっている。
【００３７】
そして、取手部３５と板ばね４２とにより、取手部３５の中間位置を境に板ばね４２による付勢力を反転させて、中間位置を挟む第１の姿勢位置（図４（ａ）に示す状態）又は第２の姿勢位置（図４（ｂ）に示す状態）に向けて取手部３５を押圧付勢するトグル機構が構成されている。すなわち、取手部３５が第１の姿勢位置に位置する場合には、取手部３５は板ばね４２により図４（ａ）において反時計方向に付勢保持される。そして、取手部３５を第１の姿勢位置から時計方向に回動させていき、図４（ｃ）に示す中間位置を過ぎると板ばね４２による付勢力が反転することにより、取手部３５は時計方向に付勢される。そして、取手部３５は第２の姿勢位置に位置した場合には、取手部３５は図４（ｂ）において時計方向に付勢保持される。したがって、取手部３５は第１の姿勢位置から自重により第２の姿勢位置に変位することが抑制されるとともに、第１の姿勢位置又は第２の姿勢位置のうち何れか一方の姿勢位置に付勢保持されるようになっている。この点で、突出部３７ａと板ばね４２とは取手部材としての取手部３５を第１の姿勢位置及び第２の姿勢位置に付勢保持する付勢手段として機能する。
【００３８】
次に、このように構成した記録装置１１の作用について、特にヒーターユニット２３の取手部３５と本体ケース１２の蓋体２６との関係に着目して説明する。
さて、例えば記録装置１１の搬送経路において紙詰まり等が発生すると、ユーザーは本体ケース１２内の搬送経路を確認するために、本体ケース１２の上面１２ａに設けられた蓋体２６を非覆蓋位置に変位させることにより開口部２５を開放する。そして次に、第２の姿勢位置に位置するヒーターユニット２３の取手部３５を回動して第１の姿勢位置にすることによりヒーターユニット２３の固定状態を解除した後、取手部３５を把持して持ち上げることによりヒーターユニット２３を本体ケース１２外へ取り出す。そして、ユーザーはヒーターユニット２３を取り外した装着部Ｐから搬送経路を確認するとともに、必要に応じて紙詰まりした紙を取り除くなどのメンテナンスを行う。
【００３９】
搬送経路の確認又はメンテナンスが終了すると、ユーザーは再びヒーターユニット２３の取手部３５を把持して、取り外したヒーターユニット２３を本体ケース１２内に装着する。そして、第１の姿勢位置に位置する取手部３５を回動して第２の姿勢位置にすることにより、ヒーターユニット２３を本体ケース１２内に固定する。このとき、ヒーターユニット２３が装着部Ｐに正確に装着されている場合には、装着部Ｐにおける固定板２７の固定穴２７ａにヒーターユニット２３の固定ピン４０が挿入されるため、ヒーターユニット２３の取手部３５を第１の姿勢位置から第２の姿勢位置に回動変位することができる。そのため、図５（ａ）に示すように、蓋体２６を覆蓋位置に戻すと、第２の姿勢位置の取手部３５は本体ケース１２の蓋体２６から離間した非当接状態となる。したがって、第２の姿勢位置にある取手部３５は蓋体２６の陥入部２６ｃには当接しないため、蓋体２６により開口部２５をきちんと閉めることができる。
【００４０】
一方、ヒーターユニット２３が装着部Ｐに正確に装着されていない場合には、ヒーターユニット２３の固定ピン４０の先端は固定板２７の固定穴２７ａに挿入されずに固定板２７に突き当たるため、取手部３５を第１の姿勢位置から第２の姿勢位置に回動変位することはできない。そのため、図５（ｂ）に示すように、蓋体２６を覆蓋位置に戻すと、第１の姿勢位置にある取手部３５により覆蓋状態が規制される。すなわち、第１の姿勢位置にある取手部３５の上端が蓋体２６の陥入部２６ｃに開口部２５の内側から当接するため、蓋体２６により開口部２５は閉まらずに開いた状態となる。
【００４１】
上記実施形態によれば、以下のような効果を得ることができる。
（１）ヒーターユニット２３が本体ケース１２に対して固定状態とされる場合には、取手部３５が横倒しの第２の姿勢位置にあって蓋体２６に対しては非当接状態になるため蓋体２６を閉めることができる。一方、ヒーターユニット２３ユニットが本体ケース１２に対して非固定状態とされる場合には、取手部３５が起立した第１の姿勢位置にあって蓋体２６に対して開口部２５の内部から当接する位置状態になるため、蓋体２６を閉めることができない。したがって、ユーザーはヒーターユニット２３が本体ケース１２の装着部に対して正確に装着されていない又は固定部３６により固定されていない状態を容易に認識することができる。
【００４２】
（２）取手部３５は突出部３７ａ及び板ばね４２により、自重による姿勢位置の変位を抑制するとともに第１の姿勢位置及び第２の姿勢位置のうち何れか一方の位置に保持されるため、ユーザーはヒーターユニット２３が本体ケース１２に対して正確に装着されていない又は固定手段により固定されていない状態を容易に認識することができる。
【００４３】
（３）ユニット本体３２における温風の吹出口は、取手部３５が設けられたユニット本体３２の上面３２ａとは異なる面に設けられているため、取手部３５がユニット本体３２の内部に設けられたヒーター３３により熱くなることを抑制することがきる。
【００４４】
なお、上記実施形態は以下のように変更してもよい。
・記録ヘッド２２はラインヘッドタイプに限らず、短尺の記録ヘッドが連続紙Ｓの搬送方向と交差する方向に移動して連続紙Ｓの全幅に記録を行うようにしてもよい。
【００４５】
・記録媒体は連続紙Ｓに限らず、連続フィルム等であってもよい。また、連続紙Ｓは搬送途中で所定の長さに切断されてもよい。
・蓋体２６において本体ケース１２の内部側に突出する陥入部２６ｃは、例えば略矩形状等、異なる形状であってもよい。また、蓋体２６に、本体ケース１２の内側に突出する陥入部２６ｃを設けなくてもよい。なお、その場合には、第１の姿勢位置に位置する取手部３５の上端が本体ケース１２の上面１２ａよりも上側に位置するように、ヒーターユニット２３を配設することが望ましい。
【００４６】
・本体ケース１２の開口部２５又は蓋体２６に、蓋体２６の開口部２５に対する覆蓋状態を検出する検出手段を設けてもよい。そして、このように構成すると、蓋体２６の覆蓋状態を検出手段により正確に検出することができるため、ユーザーはヒーターユニット２３が本体ケース１２に対して正確に装着されていない又は固定部３６により固定されていない状態をより容易に且つ正確に認識することができる。
【００４７】
・板ばね４２の代わりにねじりコイルばねやコイルばねを付勢手段として用いてもよい。また、ヒーターユニット２３に付勢手段を設けなくてもよい。
・機器ユニットはヒーターユニット２３に限らず、例えばインクカートリッジ等、本体ケース１２内に着脱可能であれば異なる部材であってもよい。
【００４８】
・着脱装置は記録装置１１に限らず、本体ケース内の装着部に対して機器ユニットを着脱可能であれば異なる装置であってもよい。
・上記実施形態では、記録装置をインクジェット式記録装置１１に具体化したが、インク以外の他の液体を噴射したり吐出したりする記録装置を採用してもよい。微小量の液滴を吐出させる液体噴射ヘッド等を備える各種の液体噴射装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。記録装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する記録装置、バイオチップ製造に用いられる生体有機物を噴射する記録装置、精密ピペットとして用いられ試料となる液体を噴射する記録装置、捺染装置やマイクロディスペンサ等であってもよい。さらに、時計やカメラ等の精密機械にピンポイントで潤滑油を噴射する記録装置、光通信素子等に用いられる微小半球レンズ（光学レンズ）などを形成するために紫外線硬化樹脂等の透明樹脂液を基板上に噴射する記録装置、基板などをエッチングするために酸又はアルカリ等のエッチング液を噴射する記録装置を採用してもよい。そして、これらのうちいずれか一種の記録装置に本発明を適用することができる。
【符号の説明】
【００４９】
Ｐ…装着部、Ｓ…記録媒体としての連続紙、１１…記録装置、１２…本体ケース、２２…記録ヘッド、２３…機器ユニットとしてのヒーターユニット、２５…開口部、２６…蓋体、３２…ユニット本体、３５…取手部材としての取手部、３６…固定手段としての固定部、３７ａ…突出部材としての突出部、４２…板ばね。
【図１】
0005630038.tif 000002
【図２】
0005630038.tif 000003
【図３】
0005630038.tif 000004
【図４】
0005630038.tif 000005
【図５】
0005630038.tif 000006